(57)【要約】【課題】コンテンツデータに対する処理を実行することが可能なアプリケーションまたは接続機器を容易に把握することが可能な、新規かつ改良された技術を提供する。【解決手段】、情報処理装置１００は、コンテンツデータまたはコンテンツ識別情報とコンテンツデータに対して処理を実行することが可能にされた機器またはアプリケーションである処理主体の識別に使用される処理主体識別情報とが対応付けられてなる関連付け情報を１以上記憶する記憶部１２０と、コンテンツデータまたはコンテンツ識別情報を選択する選択情報の入力を受け付けることが可能である入力部１０６と、入力部１０６が選択情報の入力を受け付けると、選択情報によって選択されるコンテンツデータまたはコンテンツ識別情報に対応付けられている処理主体識別情報を記憶部１２０が記憶する関連付け情報から取得して表示部１１５に出力する表示制御部１１４と、を備える。【選択図】図２
2010097434.tif 000002
【特許請求の範囲】
【請求項１】
コンテンツデータまたはコンテンツ識別情報と当該コンテンツデータに対して処理を実行することが可能にされた機器またはアプリケーションである処理主体の識別に使用される処理主体識別情報とが対応付けられてなる関連付け情報を１以上記憶する記憶部と、
前記コンテンツデータまたは前記コンテンツ識別情報を選択する選択情報の入力を受け付けることが可能である入力部と、
前記入力部が選択情報の入力を受け付けると、当該選択情報によって選択されるコンテンツデータまたはコンテンツ識別情報に対応付けられている処理主体識別情報を前記記憶部が記憶する前記関連付け情報から取得して表示部に出力する表示制御部と、
を備える、情報処理装置。
【請求項２】
前記表示制御部は、
前記表示部に出力した前記処理主体識別情報によって識別される処理主体の状態を検査し、検査して得た状態情報をさらに前記表示部に出力する、
請求項１に記載の情報処理装置。
【請求項３】
前記記憶部は、
処理主体識別情報と処理の種別を示す処理種別情報とが対応付けられてなる処理主体情報をさらに記憶し、
前記表示制御部は、
検査して得た前記状態情報が前記処理主体での処理の実行が可能であることを示すものであるか否かを判断し、当該状態情報が前記処理主体での処理の実行が可能でないことを示すものであると判断した場合には、当該処理主体識別情報および当該状態情報を前記表示部に出力する処理を省略して当該処理主体識別情報に対応付けられた処理種別情報と同一の処理種別情報を含む処理主体情報を他に前記記憶部が記憶しているか否かを判断し、記憶していると判断した場合には、当該処理主体情報が含む処理主体識別情報によって識別される処理主体の状態を検査して、検査して得た状態情報が前記処理主体での処理の実行が可能であることを示すものであるか否かを判断し、当該状態情報が当該処理主体での処理の実行が可能であることを示すものであると判断した場合には、当該処理主体識別情報および当該状態情報を前記表示部に出力する、
請求項２に記載の情報処理装置。
【請求項４】
前記記憶部は、
処理主体識別情報と処理の種別を示す処理種別情報と実行可能な処理のグレードを示すグレード情報とが対応付けられてなる処理主体情報をさらに記憶し、
前記表示制御部は、
前記コンテンツデータのグレードを判断して第１グレード情報を取得するとともに、前記記憶部が記憶する前記関連付け情報から取得した前記処理主体識別情報に対応付けられた第２グレード情報を前記処理主体情報から取得し、前記第２グレード情報が前記第１グレード情報を含むものであるか否かを判断し、含まないものであると判断した場合には、当該処理主体識別情報および当該状態情報を前記表示部に出力する処理を省略して当該処理主体識別情報に対応付けられた処理種別情報と同一の処理種別情報を含み、かつ、グレード情報が前記第１グレード情報を含む処理主体情報を前記記憶部が記憶しているか否かを判断し、記憶していると判断した場合には、当該処理主体識別情報を前記表示部に出力する、
請求項１に記載の情報処理装置。
【請求項５】
前記入力部は、
前記選択情報によって選択されたコンテンツデータまたはコンテンツ識別情報によって識別されるコンテンツデータに対する処理の実行を指示する実行情報の入力をさらに受け付けることが可能であり、
前記入力部が実行情報の入力を受け付けると、前記記憶部が記憶する前記関連付け情報から取得した前記処理主体識別情報によって識別される処理主体に前記コンテンツデータに対する処理を実行させる実行制御部、
をさらに備える、請求項１に記載の情報処理装置。
【請求項６】
前記実行制御部は、
前記コンテンツデータに対する処理が番組コンテンツデータの保存に該当する場合に、前記入力部が実行情報の入力を受け付けると、前記記憶部が記憶する前記関連付け情報から取得した前記処理主体識別情報によって識別される処理主体がモバイル機器であると判断した場合には、当該モバイル機器の状態を検査し、検査して得た前記状態情報が前記モバイル機器での前記番組コンテンツデータの保存が可能であることを示すものであるか否かを判断し、当該状態情報が前記モバイル機器での前記番組コンテンツデータの保存が可能でないことを示すものであると判断した場合には、前記モバイル機器による前記番組コンテンツデータの保存を一時保留して前記記憶部に前記番組コンテンツデータを保存させ、当該モバイル機器の状態を再度検査し、検査して得た前記状態情報が前記モバイル機器での前記番組コンテンツデータの保存が可能であることを示すものであるか否かを判断し、前記状態情報が前記モバイル機器での前記番組コンテンツデータの保存が可能であることを示すものであると判断した場合に、前記記憶部に保存された前記番組コンテンツデータを前記モバイル機器に転送して保存させる、
請求項５に記載の情報処理装置。
【請求項７】
コンテンツデータまたはコンテンツ識別情報と当該コンテンツデータに対して処理を実行することが可能にされた機器またはアプリケーションである処理主体の識別に使用される処理主体識別情報とが対応付けられてなる関連付け情報を１以上記憶する記憶部と、前記コンテンツデータまたは前記コンテンツ識別情報を選択する選択情報の入力を受け付けることが可能である入力部と、表示制御部とを備える情報処理装置の当該表示制御部が、
前記入力部が選択情報の入力を受け付けると、当該選択情報によって選択されるコンテンツデータまたはコンテンツ識別情報に対応付けられている処理主体識別情報を前記記憶部が記憶する前記関連付け情報から取得して前記表示部に出力するステップ、
を実行する、情報処理方法。
【発明の詳細な説明】
【技術分野】
【０００１】
本発明は、情報処理装置および情報処理方法に関する。
【背景技術】
【０００２】
従来、使用する接続機器を自動的に設定登録する技術が開示されている（例えば、特許文献１参照）。これによれば、ユーザは専用で使用する接続機器を特定するための特別な操作を行なう必要がなくなり、接続機器を特定するための手間を低減することができる。しかしながら、実行したい処理ごとに使用可能な接続機器を容易に把握することができなかった。
【０００３】
また、ユーザが情報処理装置の保持するコンテンツデータを選択して決定キー等を押下することによってコンテンツデータに対する処理の実行を指示すると、情報処理装置の表示画面の一部に表示されていたコンテンツデータが全画面表示に切り替わるものがある。しかしながら、ユーザは、全画面表示以外の処理を実行することができるアプリケーションや接続機器を把握する場合には、オプションメニューを起動し、オプションメニューに表示されるアプリケーションや接続機器の名称を見て把握する必要がある。そのため、オプションメニューを起動する手間がかかっていた。
【０００４】
また、他の技術として、ユーザがコンテンツデータを選択して決定キー等を押下することによってサブメニューを表示する技術がある。
【０００５】
【特許文献１】特開２００７−０３６９４８号公報
【発明の開示】
【発明が解決しようとする課題】
【０００６】
しかしながら、ユーザは、全画面表示以外の処理を実行することができるアプリケーションや接続機器を把握する場合には、サブメニューを起動し、サブメニューに表示されるアプリケーションや接続機器の名称を見て把握する必要があるため、サブメニューを起動する手間がかかっていたという問題があった。
【０００７】
そこで、本発明は、上記問題に鑑みてなされたものであり、本発明の目的とするところは、コンテンツデータに対する処理を実行することが可能なアプリケーションまたは接続機器を容易に把握することが可能な、新規かつ改良された技術を提供することにある。
【課題を解決するための手段】
【０００８】
上記課題を解決するために、本発明のある観点によれば、コンテンツデータまたはコンテンツ識別情報とコンテンツデータに対して処理を実行することが可能にされた機器またはアプリケーションである処理主体の識別に使用される処理主体識別情報とが対応付けられてなる関連付け情報を１以上記憶する記憶部と、コンテンツデータまたはコンテンツ識別情報を選択する選択情報の入力を受け付けることが可能である入力部と、入力部が選択情報の入力を受け付けると、選択情報によって選択されるコンテンツデータまたはコンテンツ識別情報に対応付けられている処理主体識別情報を記憶部が記憶する関連付け情報から取得して表示部に出力する表示制御部と、を備える、情報処理装置が提供される。
【発明の効果】
【０００９】
以上説明したように本発明によれば、コンテンツデータに対する処理を実行することが可能なアプリケーションまたは接続機器を容易に把握することが可能な技術を提供することができる。
【発明を実施するための最良の形態】
【００１０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、説明は以下の順序で行う。
【００１１】
１．    第１実施形態
２．    第２実施形態
【００１２】
＜１．第１実施形態＞
［情報処理システムの構成］
まず、本発明の第１実施形態にかかる情報処理システムについて説明する。図１は、本発明の第１実施形態にかかる情報処理システムの構成を示す図である。以下、図１を用いて本発明の第１実施形態にかかる情報処理システムについて説明する。
【００１３】
図１に示したように、本発明の第１実施形態にかかる情報処理システム１０Ａは、情報処理装置１００Ａと、接続機器２００と、を含んで構成される。図１に示した情報処理システム１０Ａは、情報処理装置１００Ａと接続機器２００との間でデータをやりとりするものである。
【００１４】
情報処理装置１００Ａと接続機器２００とは、例えば、有線／無線ＬＡＮ（Ｌｏｃａｌ  Ａｒｅａ  Ｎｅｔｗｏｒｋ）、Ｂｌｕｅｔｏｏｔｈ等で接続することができる。また、ＵＳＢ（Ｕｎｉｖｅｒｓａｌ  Ｓｅｒｉａｌ  Ｂｕｓ）ケーブルやＩＥＥＥ１３９４に準拠したケーブル、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル等で接続することができる。
【００１５】
情報処理装置１００Ａは、例えば、デジタル放送受信機のような、内部にコンテンツデータを格納して、自装置が保持するアプリケーションや接続機器２００にコンテンツデータに対する処理を実行させるものである。本実施形態では、情報処理装置１００Ａの一例としてデジタル放送受信機を使用する場合について説明するが、自装置が保持するアプリケーションや接続機器２００にコンテンツデータに対する処理を実行させることが可能な装置であれば特に限定されるものではない。情報処理装置１００Ａの内部構成については後に詳述する。
【００１６】
接続機器２００は、例えば、情報処理装置１００Ａからの要求に従い、情報処理装置１００Ａから受信したコンテンツデータに対する処理を実行するものである。ここでは、接続機器２００として接続機器２００ａと接続機器２００ｂとを使用する場合について説明する。接続機器２００ａは、コンテンツデータが静止画情報等である場合に、静止画を紙面上に印刷するプリンタであり、接続機器２００ｂは、コンテンツデータを、自装置が保持するハードディスク等の記憶装置に保存するＰＣ（Ｐｅｒｓｏｎａｌ  Ｃｏｍｐｕｔｅｒ）である。また、ここでは、情報処理システム１０Ａが２台の接続機器２００を備える場合について説明するが、接続機器２００の台数は１台以上であれば特に限定されるものではない。
【００１７】
以上、本発明の第１実施形態にかかる情報処理システム１０Ａについて説明した。次に、本発明の第１実施形態にかかる情報処理装置１００Ａの構成について説明する。
【００１８】
［情報処理装置の構成］
図２は、本発明の第１実施形態にかかる情報処理装置の構成を示す図である。以下、図２を用いて本発明の第１実施形態にかかる情報処理装置の構成について説明する。
【００１９】
図２に示したように、本発明の第１実施形態にかかる情報処理装置１００は、制御部１０１と、内部バス１０２と、コンテンツ受信部１０４と、入力部１０６と、実行制御部１０８と、外部入出力制御部１１０と、コンテンツ再生部１１２と、表示制御部１１４と、表示部１１５と、音声出力制御部１１６と、スピーカ１１７と、記憶部１２０と、を含んで構成される。
【００２０】
制御部１０１は、例えば、コンテンツ受信部１０４によって受信されたコンテンツデータが番組コンテンツデータである場合には、その番組コンテンツデータをコンテンツ再生部１１２、表示制御部１１４によって表示画像に変換する。そして、制御部１０１は、変換後の表示画像を表示部１１５に表示されるように制御を行う。また、制御部１０１は、入力部１０６によって受信された要求信号を受け取って、その要求信号に応じた処理を実行するように他の機能部を制御するものである。制御部１０１は、例えば、ＣＰＵ（Ｃｅｎｔｒａｌ  Ｐｒｏｃｅｓｓｉｎｇ  Ｕｎｉｔ）等によって構成され、ＲＯＭ、ＲＡＭ、ストレージ装置またはリムーバブル記録媒体に記録された各種プログラムに従って、情報処理装置１００Ａ内の動作全般またはその一部を制御する。
【００２１】
内部バス１０２は、情報処理装置１００Ａ内の各機能部同士を接続し、各機能部間におけるデータ等の伝達を行うものである。
【００２２】
コンテンツ受信部１０４は、受信アンテナ等を通じてコンテンツデータを受信し、内部バス１０２に送出するものである。コンテンツデータが番組コンテンツデータ等である場合には、コンテンツ受信部１０４は、例えば、受信アンテナや映像配信用ＩＰ（Ｉｎｔｅｒｎｅｔ  Ｐｒｏｔｏｃｏｌ）網を通じて番組コンテンツデータを受信し、内部バス１０２に送出する。
【００２３】
入力部１０６は、ユーザによって操作されるコントローラから赤外線等によって送信される命令信号を受信するものである。受信された命令信号は、内部バス１０２を通じて制御部１０１に伝達される。
【００２４】
実行制御部１０８は、入力部１０６を介してユーザから入力された指示情報が示すコンテンツデータに対する処理を接続機器２００に実行させるものである。
【００２５】
外部入出力制御部１１０は、情報処理装置１００Ａと接続機器２００とを接続するためのインタフェースである。外部入出力制御部１１０は、接続機器２００から出力される映像情報や音声情報を入力し、情報処理装置１００Ａが受信したコンテンツデータ等を接続機器２００に出力するためのインタフェースである。
【００２６】
コンテンツ再生部１１２は、コンテンツ受信部１０４が受信したコンテンツデータを再生するための処理を行う。コンテンツ受信部１０４が受信したコンテンツデータが番組コンテンツデータである場合には、コンテンツ再生部１１２は、番組コンテンツデータを映像情報として再生するための処理を行う。コンテンツ再生部１１２は、例えば、映像配信用ＩＰ網を通じてコンテンツ受信部１０４が受信した番組コンテンツデータのパケットを音声、ビデオ、データ等の各信号に分離し、分離された信号をそれぞれデコードして表示制御部１１４等に出力する。また、コンテンツ再生部１１２は、記憶部１２０によって記憶されているコンテンツデータ１２１を再生することも可能である。
【００２７】
表示制御部１１４は、コンテンツ再生部１１２によってデコードされた映像信号やデータ信号、記憶部１２０に格納されている表示用のデータ等を受け取って、表示部１１５に表示させるための表示画像情報を生成する。
【００２８】
表示部１１５は、表示制御部１１４によって生成された番組コンテンツデータ等の画像を表示する表示装置である。ここでは、表示部１１５は、情報処理装置１００Ａの内部に存在することとするが、情報処理装置１００Ａの外部に接続されることとしてもよい。
【００２９】
音声出力制御部１１６は、コンテンツ再生部１１２によってデコードされた音声信号等を受け取って、スピーカ１１７に出力させるための音声情報を生成する。
【００３０】
スピーカ１１７は、音声を出力するための出力装置であり、音声出力制御部１１６を介して入力される音声情報を出力する。
【００３１】
記憶部１２０は、ＨＤＤ（Ｈａｒｄ  Ｄｉｓｋ  Ｄｒｉｖｅ）等によって構成され、表示部１１５に表示される各種のアイコンや文字等の表示データを記憶するものである。記憶部１２０は、その他に、コンテンツデータ１２１、関連付け情報１２２Ａ、デフォルト情報１２３、処理主体情報１２４等を記憶している。コンテンツデータ１２１は、例えば、番組コンテンツ、静止画コンテンツ、動画コンテンツ、音楽コンテンツ等のデータであり、特にその種類が限定されるものではない。関連付け情報１２２Ａ、デフォルト情報１２３、処理主体情報１２４等については後に詳述する。
【００３２】
以上、本発明の第１実施形態にかかる情報処理装置１００のハードウェア構成について説明した。次に、本発明の第１実施形態にかかる記憶部１２０が記憶する情報の構造について説明する。
【００３３】
図３は、本発明の第１実施形態にかかる関連付け情報の構造の一例を示す図である。以下、図３を用いて本発明の第１実施形態にかかる関連付け情報の構造について説明する。
【００３４】
図３に示すように、関連付け情報１２２Ａは、コンテンツファイル名１２２ａ、コンテンツ種別情報１２２ｂ、処理主体識別情報１２２ｃ等を含んで構成されている。関連付け情報１２２Ａは、例えば、コントローラ等を介して入力部１０６にユーザが入力して作成することが可能である。
【００３５】
コンテンツファイル名１２２ａは、コンテンツデータが格納されている場所を絶対パスによって示すものである。コンテンツファイル名１２２ａによって、記憶部１２０におけるコンテンツデータの格納位置を特定することが可能である。図３に示した例では、ファイル名が「・・・海水浴２００７￥ＤＳＣ０００１」「・・・海水浴２００７￥ＤＳＣ０００２」「・・・海水浴２００７￥ＤＳＣ０００３」であるファイルが同一のフォルダである「海水浴２００７」フォルダに存在することが分かる。
【００３６】
コンテンツ種別情報１２２ｂは、コンテンツデータの種類を示す情報である。図３に示した例では、ファイル名が「・・・ＤＳＣ０００１」「・・・ＤＳＣ０００２」「・・・ＤＳＣ０００３」であるファイルのコンテンツ種別情報１２２ｂは、「静止画」コンテンツであることが分かる。また、ファイル名が「・・・ＢＲＣ０００１」であるファイルのコンテンツ種別情報１２２ｂは、放送番組であることが分かる。また、ファイル名が「・・・番組￥ＢＲＣ０００１」であるフォルダのコンテンツ種別情報１２２ｂは、グループであるとして扱う。コンテンツ種別情報１２２ｂとしては、他に、例えば、「動画」「音楽」等が想定される。コンテンツ種別情報１２２ｂは、コンテンツファイル名１２２ａに付された拡張子であるとすることもできる。
【００３７】
処理主体識別情報１２２ｃは、コンテンツデータに対して処理を実行することが可能にされた処理主体（アプリケーション、接続機器等）の識別に使用される処理主体識別情報である。図３に示した例では、ファイル名が「・・・ＤＳＣ０００１」であるファイルの処理主体識別情報１２２ｃは、設定されていない。ファイル名が「・・・ＤＳＣ０００２」であるファイルの処理主体識別情報１２２ｃは、「プリンタＰ１」である。ファイル名が「・・・ＤＳＣ０００３」であるファイルの処理主体識別情報１２２ｃは、「ＰＣハードディスク」である。ファイル名が「・・・海水浴２００７」であるフォルダの処理主体識別情報１２２ｃは、「スライドショー」である。ファイル名が「・・・ＢＲＣ０００１」であるファイルの処理主体識別情報１２２ｃは、「再生」である。
【００３８】
以上、本発明の第１実施形態にかかる関連付け情報の構造について説明した。次に、本発明の第１実施形態にかかるデフォルト情報の構造について説明する。
【００３９】
図４は、本発明の第１実施形態にかかるデフォルト情報の構造の一例を示す図である。以下、図４を用いて本発明の第１実施形態にかかるデフォルト情報の構造について説明する。デフォルト情報１２３は、例えば、コンテローラ等を介して入力部１０６にユーザが入力して作成することが可能である。また、情報処理装置１００にあらかじめ設定されていることとすることもできる。
【００４０】
図４に示すように、デフォルト情報１２３は、コンテンツ種別情報１２３ａ、処理主体識別情報１２３ｂ等を含んで構成されている。図４に示すように、デフォルト情報１２３には、それぞれのコンテンツ種別情報１２３ａに対応するデフォルトの処理主体識別情報１２３ｂが設定されている。
【００４１】
以上、本発明の第１実施形態にかかるデフォルト情報の構造について説明した。次に、本発明の第１実施形態にかかる処理主体情報の構造について説明する。
【００４２】
図５は、本発明の第１実施形態にかかる処理主体情報の構造の一例を示す図である。以下、図５を用いて本発明の第１実施形態にかかる処理主体情報の構造について説明する。処理主体情報１２４は、例えば、情報処理装置１００Ａが処理主体から取得して設定されることとすることができる。
【００４３】
図５に示すように、処理主体情報１２４は、処理主体識別情報１２４ａ、処理種別情報１２４ｂ、グレード情報１２４ｃ等を含んで構成されている。図５に示すように、処理主体情報１２４には、それぞれの処理主体識別情報１２４ａに対応する処理種別情報１２４ｂ、グレード情報１２４ｃが設定されている。処理主体識別情報１２４ａについては、処理主体識別情報１２２ｃ（図３参照）と同様の項目であるため、詳細な説明は省略する。
【００４４】
処理種別情報１２４ｂは、処理主体識別情報１２４ａによって識別される処理主体が実行する処理種別を示す情報である。図５に示した例では、例えば、処理主体識別情報１２４ａ「プリンタＰ１」「プリンタＰ２」に対応する処理種別情報１２４ｂとして、「印刷」が設定されている。
【００４５】
以上、本発明の第１実施形態にかかる処理主体情報の構造について説明した。次に、本発明の第１実施形態にかかる情報処理装置の機能構成について説明する。
【００４６】
［情報処理装置の機能構成］
図６は、本発明の第１実施形態にかかるメニュー起動時の画面例を示す図である。以下、図６を用いて（適宜図１乃至図５参照）本発明の第１実施形態にかかる情報処理装置によるメニュー起動時の処理について説明する。
【００４７】
ユーザがコントローラ等でメニューを起動する操作を行うと、情報処理装置１００Ａの入力部１０６がコントローラ等からメニューを起動する旨を指示するメニュー起動指示情報の入力を受け付ける。表示制御部１１４は、入力部１０６がメニュー起動指示情報の入力を受け付けると、記憶部１２０からコンテンツデータ１２１の識別に使用されるデータを取得して、表示部１１５に出力する。図６に示した例では、コンテンツデータのファイル名「ＤＳＣ０００１」「ＤＳＣ０００２」「ＤＳＣ０００３」が表示されている。また、図６に示したように、コンテンツデータを表示部１１５にサムネイル状に表示することによって、ユーザにコンテンツデータを選択させることを容易にする。なお、ここではファイル名を３つ表示部１１５に表示することとしたが、表示部１１５に表示するファイル名の個数は１つ以上であれば特に限定されるものではない。表示部１１５にサムネイル状に表示するコンテンツデータの個数についても同様に１つ以上であれば特に限定されるものではない。
【００４８】
ユーザがコントローラ等でメニューを起動する操作を行った直後には、カーソル１１５ａは、表示部１１５に表示されたコンテンツデータのいずれかを指定する位置に表示される。例えば、表示制御部１１４は、入力部１０６が一番上のコンテンツデータ（ファイル名「ＤＳＣ０００１」）を選択する選択情報の入力を受け付けたとみなし、カーソル１１５ａを、表示部１１５に表示された一番上のコンテンツデータを囲むように表示する。
【００４９】
ユーザがコントローラ等でメニューを起動する操作を行った後、カーソル１１５ａを下に移動させる操作を行ったとする。その場合には、入力部１０６は、上から２番目のコンテンツデータ（ファイル名「ＤＳＣ０００２」）を選択する選択情報の入力を受け付ける。表示制御部１１４は、ユーザによって選択されているコンテンツデータ（ファイル名「ＤＳＣ０００２」）に対応付けられている処理主体識別情報１２２ｃを記憶部１２０が記憶する関連付け情報１２２から取得して表示部１１５に出力する。図３に示した例では、コンテンツファイル名「・・・ＤＳＣ０００２」に対応付けられている処理主体識別情報１２２ｃ「プリンタＰ１」を取得して、表示部１１５に出力する（図６参照）。コンテンツデータに対応付けられている処理主体識別情報１２２ｃが複数存在する場合には、複数の処理主体識別情報１２２ｃを表示部１１５に出力することとしてもよい。また、図６に示すように、「プリンタＰ１」に対応付けられている画像情報（プリンタの画像情報）を記憶部１２０から取得して表示部１１５に出力することしてもよい（図６参照）。
【００５０】
表示制御部１１４は、表示部１１５に出力した処理主体識別情報によって識別される処理主体の状態を検査し、検査して得た状態情報をさらに表示部１１５に出力することとしてもよい。表示制御部１１４が検査した「プリンタＰ１」の状態がオフライン状態であった場合には、表示制御部１１４は、表示部１１５に状態情報「オフライン状態」を出力する（図６参照）。このようにすれば、ユーザは、メニューからコンテンツデータを選択して決定する前に、アプリケーションの混雑具合や機器の接続状況を把握することができる。表示制御部１１４は、「プリンタＰ１」に対応付けられている表示部１１５に出力する際に、「プリンタＰ１」の状態に対応する色情報を記憶部１２０から取得して、取得した色情報が示す色を帯びた画像情報を表示部１１５に出力することとしてもよい。「オフライン状態」であれば、例えば、濃い灰色を帯びた画像情報を表示部１１５に出力することとすればよい。
【００５１】
表示制御部１１４は、状態情報が処理主体での処理の実行が可能でないことを示すものであると判断した場合には、処理主体識別情報１２２ｃおよび状態情報を表示部１１５に出力する処理を省略することとしてもよい。そして、表示制御部１１４は、その処理主体識別情報に対応付けられた処理種別情報１２４ｂと同一の処理種別情報１２４ｂを含む処理主体情報１２４を他に記憶部１２０が記憶しているか否かを判断する。表示制御部１１４は、他に記憶部１２０が記憶していると判断した場合には、その処理主体情報１２４が含む処理主体識別情報１２４ａによって識別される処理主体の状態を検査する。表示制御部１１４は、検査して得た状態情報が処理主体での処理の実行が可能であることを示すものであるか否かを判断する。表示制御部１１４は、状態情報が処理主体での処理の実行が可能であることを示すものであると判断した場合には、処理主体識別情報１２４ａおよび状態情報を表示部１１５に出力する。
【００５２】
このようにすれば、ユーザが選択したコンテンツデータに関連付けられている処理主体識別情報１２２ｃが示す処理主体の状態が悪い場合に、代わりに処理を実行できる処理主体識別情報１２４ａを表示部１１５に出力することができる。例えば、ユーザが選択したコンテンツデータ（ファイル名「ＤＳＣ０００２」）に関連付けられている処理主体識別情報１２２ｃ「プリンタＰ１」の状態が悪いとする。その場合に、「プリンタＰ１」に対応付けられている処理種別情報１２４ｂ「印刷」と同一の処理種別情報１２４ｂ「印刷」を含む処理主体情報１２４（処理主体識別情報１２４ａ「プリンタＰ２」）が存在する。そこで、表示制御部１１４は、「プリンタＰ２」の状態を検査し、状態が良ければ、「プリンタＰ２」を表示部１１５に出力する。
【００５３】
表示制御部１１４は、コンテンツデータのグレードを判断してグレード情報を取得することとしてもよい。その場合には、表示制御部１１４は、関連付け情報１２２Ａから取得した処理主体識別情報１２２ｃに対応付けられたグレード情報１２４ｃを処理主体情報１２４から取得する。表示制御部１１４は、取得したグレード情報１２４ｃがコンテンツデータから判断して取得したグレード情報を含むものであるか否かを判断する。表示制御部１１４は、含まないものであると判断した場合には、処理主体識別情報１２２ｃおよび状態情報を表示部１１５に出力する処理を省略する。そして、表示制御部１１４は、この処理主体識別情報１２２ｃに対応付けられた処理種別情報１２４ｂと同一の処理種別情報１２４ｂを含み、かつ、グレード情報１２４ｃがコンテンツデータから判断して取得したグレード情報を含む処理主体情報１２４を記憶部１２０が記憶しているか否かを判断し、記憶していると判断した場合には、その処理主体情報１２４が含む処理主体識別情報１２４ａを表示部１１５に出力する。
【００５４】
このようにすれば、ユーザが選択したコンテンツデータに関連付けられている処理主体識別情報１２２ｃが示す処理主体が、そのコンテンツデータのグレードに対応できない場合に、代わりに対応できる処理主体識別情報１２４ａを表示部１１５に出力することができる。例えば、ユーザが選択したコンテンツデータ（ファイル名「ＤＳＣ０００２」）のグレードが高画質であったとする。その場合に、「プリンタＰ１」に対応付けられているグレード情報１２４ｃは「ノーマル」であり、「プリンタＰ１」は高画質のコンテンツデータに対応できない。その場合に、「プリンタＰ１」に対応付けられている処理種別情報１２４ｂ「印刷」と同一の処理種別情報１２４ｂ「印刷」を含む処理主体情報１２４（処理主体識別情報１２４ａ「プリンタＰ２」）が存在する。そこで、表示制御部１１４は、「プリンタＰ２」に対応付けられているグレード情報１２４ｃを取得し、そのグレード情報１２４ｃが「高画質」であるので、高画質のコンテンツデータに対応できる「プリンタＰ２」を表示部１１５に出力する。
【００５５】
図７は、本発明の第１実施形態にかかるメニュー起動後の画面例を示す図である。以下、図７を用いて（適宜図１乃至図５参照）本発明の第１実施形態にかかる情報処理装置によるメニュー起動後の処理について説明する。
【００５６】
図７に示すように、メニューの起動が終わった後は、情報処理装置１００Ａの入力部１０６がコントローラ等からカーソル１１５ａを移動させる旨を指示するカーソル移動指示情報の入力を受け付けることが可能である。表示制御部１１４は、入力部１０６がカーソル移動指示情報の入力を受け付けると、指示に従ってカーソル１１５ａを移動させる。
【００５７】
ここで、コンテンツデータ（ファイル名「ＤＳＣ０００１」）が選択されると、表示制御部１１４は、このコンテンツデータに対応付けられている処理主体識別情報１２２ｃを関連付け情報１２２Ａから取得しようと試みる。しかし、処理主体識別情報１２２ｃが設定されていない。そこで、表示制御部１１４は、コンテンツデータ（ファイル名「ＤＳＣ０００１」）に対応するコンテンツ種別情報１２２ｂ「静止画」を取得する。表示制御部１１４は、デフォルト情報１２３からコンテンツ種別情報１２３ａ「静止画」に対応する処理主体識別情報１２３ｂ「全画面表示」を取得する。表示制御部１１４は、コンテンツデータ（ファイル名「ＤＳＣ０００１」）を全画面表示する（表示部１１５ｃ参照）。
【００５８】
ユーザがコントローラ等で１番上のコンテンツデータ（ファイル名「ＤＳＣ０００１」）を選択した状態で決定キーを押下したとする。入力部１０６は、選択されたコンテンツデータ（ファイル名「ＤＳＣ０００１」）に対する処理の実行を指示する実行情報の入力を受け付ける。実行制御部１０８は、入力部１０６が実行情報の入力を受け付けると、関連付け情報１２２から取得した処理主体識別情報１２２ｃによって識別される処理主体にコンテンツデータに対する処理を実行させる。ここでは、実行制御部１０８は、全画面表示を実行するアプリケーションに、コンテンツデータに対する全画面表示処理を実行させる（表示部１１５ｇ参照）。
【００５９】
フォルダ（ファイル名「海水浴２００７」）が選択されると、表示制御部１１４は、このフォルダに対応付けられている処理主体識別情報１２２ｃ「スライドショー」を関連付け情報１２２Ａから取得する。表示制御部１１４は、「スライドショー」を表示部１１５に表示する（表示部１１５ｂ参照）。
【００６０】
ユーザがコントローラ等でフォルダ（ファイル名「海水浴２００７」）を選択した状態で決定キーを押下したとする。入力部１０６は、選択されたフォルダ（ファイル名「海水浴」）に対する処理の実行を指示する実行情報の入力を受け付ける。実行制御部１０８は、入力部１０６が実行情報の入力を受け付けると、関連付け情報１２２から取得した処理主体識別情報１２２ｃによって識別される処理主体にフォルダに対する処理を実行させる。ここでは、実行制御部１０８は、スライドショーを実行するアプリケーションに、フォルダに対するスライドショーを実行させる（表示部１１５ｆ参照）。スライドショーで表示されるコンテンツデータは、例えば、フォルダ（ファイル名「海水浴２００７」）直下に存在するコンテンツデータ（ファイル名「ＤＳＣ０００１」「ＤＳＣ０００２」「ＤＳＣ０００３」）であるとする。
【００６１】
コンテンツデータ（ファイル名「ＤＳＣ０００２」）が選択されると、図６を参照して説明したように、コンテンツファイル名「・・・ＤＳＣ０００２」に対応付けられている処理主体識別情報１２２ｃ「プリンタＰ１」が表示部１１５に出力される（表示部１１５ｄ参照）。
【００６２】
ユーザがコントローラ等で上から２番目のコンテンツデータ（ファイル名「ＤＳＣ０００２」）を選択した状態で決定キーを押下したとする。入力部１０６は、選択されたコンテンツデータ（ファイル名「ＤＳＣ０００２」）に対する処理の実行を指示する実行情報の入力を受け付ける。実行制御部１０８は、入力部１０６が実行情報の入力を受け付けると、関連付け情報１２２から取得した処理主体識別情報１２２ｃ「プリンタＰ１」によって識別される処理主体にコンテンツデータに対する処理を実行させる。ここでは、実行制御部１０８は、プリンタＰ１に、コンテンツデータに対する印刷処理を実行させる（表示部１１５ｈ参照）。
【００６３】
コンテンツデータ（ファイル名「ＤＳＣ０００３」）が選択されると、表示制御部１１４は、このコンテンツデータに対応付けられている処理主体識別情報１２２ｃ「パソコンＣ１」を関連付け情報１２２Ａから取得して表示部１１５に出力する（表示部１１５ｄ参照）。表示制御部１１４は、コンテンツデータ（ファイル名「ＤＳＣ０００３」）を全画面表示する（表示部１１５ｅ参照）。また、図７に示した例では、「パソコンＣ１」に対応付けられている画像情報（パソコンの画像情報）を記憶部１２０から取得して表示部１１５に出力している。
【００６４】
表示制御部１１４は、検査した「パソコンＣ１」の状態がエラー状態（例えば、通信エラー状態）であった場合には、表示部１１５に状態情報「エラー状態」を出力する（表示部１１５ｅ参照）。
【００６５】
ユーザがコントローラ等で３番上のコンテンツデータ（ファイル名「ＤＳＣ０００３」）を選択した状態で決定キーを押下したとする。入力部１０６は、選択されたコンテンツデータ（ファイル名「ＤＳＣ０００３」）に対する処理の実行を指示する実行情報の入力を受け付ける。実行制御部１０８は、入力部１０６が実行情報の入力を受け付けると、関連付け情報１２２から取得した処理主体識別情報１２２ｃによって識別される処理主体にコンテンツデータに対する処理を実行させる。ここでは、実行制御部１０８は、パソコンＣ１に、コンテンツデータの保存処理を実行させようとするが、パソコンＣ１がエラー状態であるため、コンテンツデータの保存処理は実行されず、例えば、エラーメッセージが１５１に出力される（表示部１１５ｉ参照）。
【００６６】
図８は、本発明の第１実施形態にかかる機器の状態ごとに表示される画面例を示す図である。以下、図８を用いて本発明の第１実施形態にかかる機器の状態ごとに表示される画面例について説明する。
【００６７】
図８に示すように、表示部１１５ｌは、表示制御部１１４が「プリンタＰ１」から状態情報を取得する処理を実行している間に表示されるものである。表示部１１５ｌには、例えば、「状態確認中」という表示がなされることとしてもよい。表示制御部１１４は、「状態確認中」が表示されている間に表示するプリンタの画像の色を、例えば、白とすることができる。
【００６８】
表示部１１５ｍは、図６を参照して説明したように、表示制御部１１４が「プリンタＰ１」から状態情報を取得し、状態が「オフライン状態」であった場合に表示されるものである。
【００６９】
表示部１１５ｎは、表示制御部１１４が「プリンタＰ１」から状態情報を取得し、状態が「スタンバイ状態」であった場合に表示されるものである。表示部１１５ｌには、例えば、「スタンバイ状態」という表示がなされることとしてもよい。表示制御部１１４は、「スタンバイ状態」が表示されている間に表示するプリンタの画像の色を、例えば、水色とすることができる。
【００７０】
表示部１１５ｏは、表示制御部１１４が「プリンタＰ１」から状態情報を取得し、状態が「ビジー状態（実行中）」であった場合に表示されるものである。表示部１１５ｌには、例えば、「ビジー状態（実行中）」という表示がなされることとしてもよい。表示制御部１１４は、「ビジー状態（実行中）」が表示されている間に表示するプリンタの画像の色を、例えば、薄い灰色とすることができる。
【００７１】
表示部１１５ｐは、表示制御部１１４が「プリンタＰ１」から状態情報を取得し、状態が「エラー状態」であった場合に表示されるものである。表示部１１５ｌには、例えば、「エラー状態」という表示がなされることとしてもよい。表示制御部１１４は、「エラー状態」が表示されている間に表示するプリンタの画像の色を、例えば、赤色とすることができる。
【００７２】
以上、本発明の第１実施形態にかかる情報処理装置の機能構成について説明した。次に、本発明の第１実施形態にかかる情報処理装置の動作について説明する。
【００７３】
［情報処理装置の動作］
図９は、本発明の第１実施形態にかかる情報処理装置の動作の流れを示す図である。以下、図９を用いて（適宜図１乃至図５参照）本発明の第１実施形態にかかる情報処理装置の動作について説明する。
【００７４】
ユーザがコントローラ等でメニューを起動する操作を行うと、情報処理装置１００Ａの入力部１０６は、コントローラ等からメニューを起動する旨を指示するメニュー起動指示情報の入力を受け付ける。表示制御部１１４は、入力部１０６がメニュー起動指示情報の入力を受け付けると、記憶部１２０からコンテンツデータ１２１の識別に使用されるデータを取得して、表示部１１５に出力し、メニュー表示を行う（ステップＳ１０１）。
【００７５】
入力部１０６は、ユーザ操作の入力を受け付ける。続いて、表示制御部１１４は、ユーザ操作を判断する（ステップＳ１０２）。表示制御部１１４は、ユーザ操作がカーソル移動であると判断した場合には（ステップＳ１０２で「カーソル移動」）、移動後のカーソルで指定されるコンテンツデータとの関連付けが有るか否かを判断する（ステップＳ１０３）。表示制御部１１４は、コンテンツデータとの関連付けが有ると判断した場合には（ステップＳ１０３で「ＹＥＳ」）、コンテンツデータに関連付けられている処理主体の状態情報を取得する（ステップＳ１０４）。表示制御部１１４は、取得した状態情報を表示部１１５に出力し、メニューを再表示して（ステップＳ１０５）、ステップＳ１０２に戻る。表示制御部１１４は、コンテンツデータとの関連付けが無いと判断した場合には（ステップＳ１０３で「ＮＯ」）、メニューを再表示して（ステップＳ１０５）、ステップＳ１０２に戻る。
【００７６】
表示制御部１１４は、ユーザ操作が決定であると判断した場合には（ステップＳ１０２で「決定」）、実行制御部１０８は、カーソルで指定されるコンテンツデータとの関連付けが有るか否かを判断する（ステップＳ１１１）。実行制御部１０８は、コンテンツデータとの関連付けが有ると判断した場合には（ステップＳ１１１で「ＹＥＳ」）、コンテンツデータに関連付けられている処理主体にコンテンツデータに対する処理を実行させ（ステップＳ１１２）、ステップＳ１１３に進む。実行制御部１０８は、コンテンツデータとの関連付けが無いと判断した場合には（ステップＳ１１１で「ＮＯ」）、デフォルトの処理主体にコンテンツデータに対する処理を実行させるデフォルト動作を行い（ステップＳ１２１）、ステップＳ１１３に進む。ステップＳ１１３では、実行制御部１０８は、実行させた処理がメニュー表示を終了するものであるか否かを判断し、終了しないものである場合には（ステップＳ１１３で「ＮＯ」）、メニュー再表示を行い（ステップＳ１０５）、ステップＳ１０２に戻る。実行制御部１０８は、実行させた処理がメニュー表示を終了するものである場合には（ステップＳ１１３で「ＹＥＳ」）、処理を終了する。例えば、実行させた処理が全画面表示等である場合、メニュー表示を終了するものであると判断する。
【００７７】
続いて、第２実施形態について説明する。
【００７８】
＜２．第２実施形態＞
［情報処理システムの構成］
第２実施形態は、第１実施形態と比較して、情報処理システムの構成が異なる。したがって、第２実施形態にかかる情報処理システムの構成について、図１０を用いて説明する。
【００７９】
図１０は、本発明の第２実施形態にかかる情報処理システムの構成を示す図である。以下、図１０を用いて本発明の第２実施形態にかかる情報処理システムについて説明する。
【００８０】
図１０に示したように、本発明の第２実施形態にかかる情報処理システム１０Ｂは、本発明の第１実施形態にかかる情報処理システム１０Ａと同様に、情報処理装置１００Ａと、接続機器２００と、を含んで構成される。ただし、本発明の第２実施形態にかかる情報処理システム１０Ｂは、接続機器２００として、番組コンテンツデータを録画予約することが可能な接続機器２００を備える。接続機器２００は、例えば、番組コンテンツを録画できるレコーダ（接続機器２００ｃ）、モバイル機器（接続機器２００ｄ）等である。情報処理装置１００Ｂと接続機器２００との間ではデータをやりとりすることが可能である。
【００８１】
情報処理装置１００Ａと接続機器２００とは、例えば、有線／無線ＬＡＮ（Ｌｏｃａｌ  Ａｒｅａ  Ｎｅｔｗｏｒｋ）、Ｂｌｕｅｔｏｏｔｈ等で接続することができる。また、ＵＳＢ（Ｕｎｉｖｅｒｓａｌ  Ｓｅｒｉａｌ  Ｂｕｓ）ケーブルやＩＥＥＥ１３９４に準拠したケーブル、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル等で接続することができる。
【００８２】
また、情報処理システム１０Ｂは、番組表データ提供サーバ３００をさらに備えるものである。番組表データ提供サーバ３００は、例えば、ネットワーク４００を介して情報処理装置１００Ｂと通信可能にされており、情報処理装置１００Ｂに番組表データを提供することが可能にされている。なお、情報処理装置１００Ｂの記憶部１２０が番組表データを既に記憶している場合には、番組表データ提供サーバ３００およびネットワーク４００は存在しなくてもよい。また、コンテンツ受信部１０４（図１１参照）が、番組コンテンツデータの他に番組表データを受信することとしてもよく、その場合には番組表データ提供サーバ３００およびネットワーク４００は存在しなくてもよい。
【００８３】
以上、本発明の第２実施形態にかかる情報処理システム１０Ｂについて説明した。次に、本発明の第２実施形態にかかる情報処理装置１００Ｂの構成について説明する。
【００８４】
［情報処理装置の構成］
図１１は、本発明の第２実施形態にかかる情報処理装置の機能構成を示す図である。図１１に示すように、第２実施形態にかかる情報処理装置１００Ｂは、第１実施形態にかかる情報処理装置１００と比較して、番組表データ受信部１１８が追加されている点が異なる。また、関連付け情報１２２Ａが関連付け情報１２２Ｂに置き換わっている。
【００８５】
図１２は、本発明の第２実施形態にかかる関連付け情報の構造の一例を示す図である。以下、図１２を用いて本発明の第２実施形態にかかる関連付け情報の構造について説明する。
【００８６】
図１２に示すように、関連付け情報１２２Ｂは、コンテンツ識別情報１２２ｅ、コンテンツ種別情報１２２ｂ、処理主体識別情報１２２ｃ等を含んで構成されている。関連付け情報１２２Ｂは、例えば、コントローラ等を介して入力部１０６にユーザが入力して作成することが可能である。コンテンツ種別情報１２２ｂ、処理主体識別情報１２２ｃについては、図３を参照して説明したため、説明を省略する。
【００８７】
コンテンツ識別情報１２２ｅは、番組コンテンツデータの識別に使用されるものである。コンテンツ識別情報１２２ｅによって、番組表データ受信部１１８が受信する番組コンテンツデータを特定することが可能である。図１２に示した例では、コンテンツ識別情報１２２ｅ「ＣＩＤ０００１」に、コンテンツ種別情報１２２ｂ「放送番組」、処理主体識別情報１２２ｃ「レコーダＲ１」が対応付けられていることが分かる。同様に、コンテンツ識別情報１２２ｅ「ＣＩＤ０００２」には、コンテンツ種別情報１２２ｂ「放送番組」、処理主体識別情報１２２ｃ「モバイル機器Ｍ１」が対応付けられていることが分かる。
【００８８】
以上、本発明の第２実施形態にかかる関連付け情報の構造について説明した。次に、本発明の第２実施形態にかかるデフォルト情報の構造について説明する。
【００８９】
図１３は、本発明の第２実施形態にかかるデフォルト情報の構造の一例を示す図である。以下、図１３を用いて本発明の第２実施形態にかかるデフォルト情報の構造について説明する。デフォルト情報１２３は、例えば、コンテローラ等を介して入力部１０６にユーザが入力して作成することが可能である。また、情報処理装置１００にあらかじめ設定されていることとすることもできる。
【００９０】
図１３に示すように、デフォルト情報１２３は、コンテンツ種別情報１２３ａ、処理主体識別情報１２３ｂ等を含んで構成されている。図１３に示すように、デフォルト情報１２３には、それぞれのコンテンツ種別情報１２３ａに対応するデフォルトの処理主体識別情報１２３ｂが設定されている。コンテンツ種別情報１２３ａ、処理主体識別情報１２３ｂについては、図４を参照して説明したため、説明を省略する。
【００９１】
以上、本発明の第２実施形態にかかるデフォルト情報の構造について説明した。次に、本発明の第２実施形態にかかる処理主体情報の構造について説明する。
【００９２】
図１４は、本発明の第２実施形態にかかる処理主体情報の構造の一例を示す図である。以下、図１４を用いて本発明の第２実施形態にかかる処理主体情報の構造について説明する。処理主体情報１２４は、例えば、情報処理装置１００Ｂが処理主体から取得して設定されることとすることができる。
【００９３】
図１４に示すように、処理主体情報１２４は、処理主体識別情報１２４ａ、処理種別情報１２４ｂ、グレード情報１２４ｃ等を含んで構成されている。図１４に示すように、処理主体情報１２４には、それぞれの処理主体識別情報１２４ａに対応する処理種別情報１２４ｂ、グレード情報１２４ｃが設定されている。処理主体識別情報１２４ａ、処理種別情報１２４ｂ、グレード情報１２４ｃについては、図６を参照して説明したため、説明を省略する。
【００９４】
図１５は、本発明の第２実施形態にかかるメニュー起動後の画面例を示す図である。以下、図１５を用いて（適宜図１０乃至図１４参照）本発明の第２実施形態にかかる情報処理装置によるメニュー起動後の処理について説明する。
【００９５】
図１５に示すように、メニューの起動が終わった後は、情報処理装置１００Ｂの入力部１０６がコントローラ等からカーソル１１５ａを移動させる旨を指示するカーソル移動指示情報の入力を受け付けることが可能である。表示制御部１１４は、入力部１０６がカーソル移動指示情報の入力を受け付けると、指示に従ってカーソル１１５ａを移動させる。
【００９６】
ここで、「テレビ番組表」）が選択され、決定キーが押下されると、表示制御部１１４は、コンテンツ受信部１０４が受信した番組表データを表示部１１５に表示する。
【００９７】
番組（番組名「クラシック倶楽部・・・」）が選択されると、表示制御部１１４は、このコンテンツ識別情報に対応付けられている処理主体識別情報１２２ｃ「レコーダＲ１」を関連付け情報１２２Ａから取得して表示部１１５に出力する（表示部１１５ｒ参照）。表示制御部１１４は、「レコーダＲ１」を表示部１１５に出力するとともに、レコーダＲ１の録画可能時間「約１２時間４０分」をレコーダＲ１から取得して表示部１１５に出力することとしてもよい。
【００９８】
番組（番組名「台湾ドラマ・・・」）が選択されると、表示制御部１１４は、このコンテンツ識別情報に対応付けられている処理主体識別情報１２２ｃ「モバイル機器Ｍ１」を関連付け情報１２２Ａから取得して表示部１１５に出力する（表示部１１５ｓ参照）。
【００９９】
ここでは、各番組のコンテンツ識別情報と処理主体識別情報１２２ｃとが関連付けられていることとしたが、番組表全体と処理主体識別情報１２２ｃとが関連付けられていることとしてもよい。また、番組のシリーズ単位に処理主体識別情報１２２ｃが関連付けられていることとしてもよい。
【０１００】
ユーザがコントローラ等で番組（番組名「クラシック倶楽部・・・」）を選択した状態で決定キーを押下したとする。入力部１０６は、選択されたコンテンツ識別情報（番組名「クラシック倶楽部・・・」）に対する処理の実行を指示する実行情報の入力を受け付ける。実行制御部１０８は、入力部１０６が実行情報の入力を受け付けると、関連付け情報１２２から取得した処理主体識別情報１２２ｃによって識別される処理主体にコンテンツデータに対する処理を実行させる。ここでは、実行制御部１０８は、レコーダＲ１に、番組コンテンツデータの予約録画処理を実行させる（表示部１１５ｒ参照）。
【０１０１】
ユーザがコントローラ等で番組（番組名「台湾ドラマ・・・」）を選択した状態で決定キーを押下したとする。入力部１０６は、選択されたコンテンツ識別情報（番組名「台湾ドラマ・・・」）に対する処理の実行を指示する実行情報の入力を受け付ける。実行制御部１０８は、入力部１０６が実行情報の入力を受け付けると、関連付け情報１２２から取得した処理主体識別情報１２２ｃによって識別される処理主体にコンテンツデータに対する処理を実行させる。ここでは、実行制御部１０８は、モバイル機器Ｍ１に、番組コンテンツデータの予約録画処理を実行させる（表示部１１５ｓ参照）。
【０１０２】
コンテンツデータに対する処理が番組コンテンツデータの保存（録画等）に該当する場合を想定する。その場合に、実行制御部１０８は、入力部１０６が実行情報の入力を受け付けると、関連付け情報１２２から取得した処理主体識別情報１２２ｃによって識別される処理主体がモバイル機器であると判断した場合には、モバイル機器の状態を検査する。実行制御部１０８は、検査して得た状態情報がモバイル機器での番組コンテンツデータの保存が可能であることを示すものであるか否かを判断する。
【０１０３】
実行制御部１０８は、状態情報がモバイル機器での番組コンテンツデータの保存が可能でないことを示すものであると判断した場合には、モバイル機器による番組コンテンツデータの保存を一時保留して記憶部１２０に番組コンテンツデータを保存させる。実行制御部１０８は、モバイル機器の状態を再度検査し、検査して得た状態情報がモバイル機器での番組コンテンツデータの保存が可能であることを示すものであるか否かを判断する。実行制御部１０８は、状態情報がモバイル機器での番組コンテンツデータの保存が可能であることを示すものであると判断した場合に、記憶部１２０に保存された番組コンテンツデータをモバイル機器に転送して保存させる。
【０１０４】
これによれば、録画（予約録画等）実行時にモバイル機器が接続されていなかった場合は、番組コンテンツデータを記憶部１２０（内蔵記憶装置）に一時的に記録しておき、モバイル機器が接続されたときにその番組コンテンツデータをモバイル機器に保存することを可能とする。これによって、擬似的にモバイル機器への録画が可能となる。例えば、毎夜のニュース番組コンテンツデータを、翌朝の通勤時に、モバイル機器（携帯電話等）で簡単に持ち出すことが可能となる。この場合、録画実行時にはモバイル機器は接続されていないので、一時的に記憶部１２０へ番組コンテンツデータを記録しておき、モバイル機器が接続されたときにモバイル機器へ送ることが可能となる。
【０１０５】
また、第１実施形態において説明したように、表示制御部１１４は、コンテンツデータのグレードを判断してグレード情報を取得することとしてもよい。このようにすれば、ユーザが選択したコンテンツデータに関連付けられている処理主体識別情報１２２ｃが示す処理主体が、そのコンテンツデータのグレードに対応できない場合に、代わりに対応できる処理主体識別情報１２４ａを表示部１１５に出力することができる。
【０１０６】
例えば、ユーザが選択した番組コンテンツデータ（コンテンツ識別情報１２２ｅ「ＣＩＤ０００３」、番組名「ハイビジョン特集・・・」）のグレードがハイビジョン番組であったとする。その場合に、コンテンツ識別情報１２２ｅ「ＣＩＤ０００３」に対応付けられている処理主体識別情報１２２ｃ「レコーダＲ２」に対応付けられているグレード情報１２４ｃは「ノーマル」である。つまり、レコーダＲ２で番組コンテンツデータ（コンテンツ識別情報１２２ｅ「ＣＩＤ０００３」）を録画するとＳＤ画像情報として保存されてしまう。その場合に、「レコーダＲ２」に対応付けられている処理種別情報１２４ｂ「番組予約」と同一の処理種別情報１２４ｂ「番組予約」を含む処理主体情報１２４（処理主体識別情報１２４ａ「レコーダＲ１」）が存在する。そこで、表示制御部１１４は、「レコーダＲ１」に対応付けられているグレード情報１２４ｃを取得し、そのグレード情報１２４ｃが「ハイビジョン対応」であるので、ハイビジョン番組のコンテンツデータに対応できる「レコーダＲ１」を表示部１１５に出力する。
【０１０７】
以上、本発明の第２実施形態にかかる情報処理装置の機能構成について説明した。次に、本発明の第２実施形態にかかる情報処理装置の動作について説明する。
【０１０８】
［情報処理装置の動作］
図１６は、本発明の第２実施形態にかかる情報処理装置の動作の流れを示す図である。以下、図１６を用いて（適宜図１０乃至図１４参照）本発明の第２実施形態にかかる情報処理装置の動作について説明する。
【０１０９】
ユーザがコントローラ等で番組表を起動する操作を行うと、情報処理装置１００Ｂの入力部１０６は、コントローラ等から番組表を起動する旨を指示する番組表起動指示情報の入力を受け付ける。表示制御部１１４は、入力部１０６がメニュー起動指示情報の入力を受け付けると、コンテンツ受信部１０４が受信した番組表と番組に関連付けられた接続機器とを表示部１１５に出力する（ステップＳ２０１）。
【０１１０】
入力部１０６は、ユーザがコントローラ等で番組の録画予約の操作を行うと、コントローラ等から録画予約を行う録画予約指示情報の入力を受け付ける（ステップＳ２０２）。続いて、実行制御部１０８は、現在時刻が予約時刻に到達したか否かを判断し、到達していないと判断した場合には（ステップＳ２０３で「ＮＯ」）、ステップＳ２０３に戻る。到達したと判断した場合には（ステップＳ２０３で「ＹＥＳ」）、番組に関連付けられた接続機器がモバイル機器であるか否かを判断する（ステップＳ２０４）。番組に関連付けられた接続機器がモバイル機器ではないと判断した場合には（ステップＳ２０４で「ＮＯ」）、実行制御部１０８は、接続機器での録画を実行し、接続機器に録画して得た番組コンテンツデータを保存し（ステップＳ２０５）、処理を終了する。
【０１１１】
実行制御部１０８は、番組に関連付けられた接続機器がモバイル機器であると判断した場合には（ステップＳ２０４で「ＹＥＳ」）、モバイル機器が接続されているか否かを判断する（ステップＳ２１１）。モバイル機器が接続されていると判断した場合には（ステップＳ２１１で「ＹＥＳ」）、実行制御部１０８は、接続機器での録画を実行し、接続機器に録画して得た番組コンテンツデータを保存し（ステップＳ２０５）、処理を終了する。モバイル機器が接続されていないと判断した場合には（ステップＳ２１１で「ＮＯ」）、実行制御部１０８は、録画を実行し、記憶部１２０に録画して得た番組コンテンツデータを保存する（ステップＳ２１２）。実行制御部１０８は、モバイル機器が接続されているか否かを再度判断する（ステップＳ２１３）。実行制御部１０８は、モバイル機器が接続されていないと判断した場合には（ステップＳ２１３で「ＮＯ」）、ステップＳ２１３に戻る。実行制御部１０８は、モバイル機器が接続されていると判断した場合には（ステップＳ２１３で「ＹＥＳ」）、モバイル機器に録画データ（録画して得た番組コンテンツデータ）を転送して（ステップＳ２１４）、処理を終了する。
【０１１２】
ステップＳ２１３の処理を行うタイミングについては、特に限定されるものではない。例えば、次回にモバイル機器で他の番組の録画がなされるときや、何らかの処理によって情報処理装置１００Ｂとモバイル機器との間で通信を行う必要が生じたとき等にステップＳ２１３の処理を行うことができる。
【０１１３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１１４】
【図１】本発明の第１実施形態にかかる情報処理システムの構成を示す図である。
【図２】本発明の第１実施形態にかかる情報処理装置の構成を示す図である。
【図３】本発明の第１実施形態にかかる関連付け情報の構造の一例を示す図である。
【図４】本発明の第１実施形態にかかるデフォルト情報の構造の一例を示す図である。
【図５】本発明の第１実施形態にかかる処理主体情報の構造の一例を示す図である。
【図６】本発明の第１実施形態にかかるメニュー起動時の画面例を示す図である。
【図７】本発明の第１実施形態にかかるメニュー起動後の画面例を示す図である。
【図８】本発明の第１実施形態にかかる機器の状態ごとに表示される画面例を示す図である。
【図９】本発明の第１実施形態にかかる情報処理装置の動作の流れを示す図である。
【図１０】本発明の第２実施形態にかかる情報処理システムの構成を示す図である。
【図１１】本発明の第２実施形態にかかる情報処理装置の機能構成を示す図である。
【図１２】本発明の第２実施形態にかかる関連付け情報の構造の一例を示す図である。
【図１３】本発明の第２実施形態にかかるデフォルト情報の構造の一例を示す図である。
【図１４】本発明の第２実施形態にかかる処理主体情報の構造の一例を示す図である。
【図１５】本発明の第２実施形態にかかるメニュー起動後の画面例を示す図である。
【図１６】本発明の第２実施形態にかかる情報処理装置の動作の流れを示す図である。
【符号の説明】
【０１１５】
１０（１０Ａ、１０Ｂ）  情報処理システム
１００（１００Ａ、１００Ｂ）  情報処理装置
１０４  コンテンツ受信部
１０６  入力部
１０８  実行制御部
１１４  表示制御部
１１５  表示部
１１８  番組表データ受信部
１２０  記憶部
２００（２００ａ、２００ｂ、２００ｃ、２００ｄ）  接続機器
【図１】
2010097434.tif 000003
【図２】
2010097434.tif 000004
【図３】
2010097434.tif 000005
【図４】
2010097434.tif 000006
【図５】
2010097434.tif 000007
【図６】
2010097434.tif 000008
【図７】
2010097434.tif 000009
【図８】
2010097434.tif 000010
【図９】
2010097434.tif 000011
【図１０】
2010097434.tif 000012
【図１１】
2010097434.tif 000013
【図１２】
2010097434.tif 000014
【図１３】
2010097434.tif 000015
【図１４】
2010097434.tif 000016
【図１５】
2010097434.tif 000017
【図１６】
2010097434.tif 000018